(57)【要約】【課題】  識別情報素子から得られる情報と監視カメラ装置から得られる映像とをデータとして組み合わせて記憶することによって、目的とする識別情報素子が存在した時刻や位置を管理すると共に、監視カメラの映像を簡単に検索・抽出することができる映像監視システムを提供する【解決手段】  識別情報手段１の情報を読み取る情報読取手段２と、識別情報手段１を所持した者を撮影する撮影装置５と、情報読取手段２の読み取った情報と撮影装置５の撮影した映像とを関連づけて関連データ１０を作成するデータ作成手段８１と、データ作成手段８１の作成した関連データ１０を記憶する記憶部７と、関連データ１０を検索するために情報を入力する入力手段２１と、入力手段２１に入力された情報から記憶部７に記憶された関連データ１０を抽出するデータ抽出手段８２と、データ抽出手段８２の抽出した情報を表示する表示手段２２と、を備えたことを特徴とする。【選択図】図１
2007329622.tif 000002
【特許請求の範囲】
【請求項１】
識別情報手段を所持した者を撮影装置により撮影する映像監視システムにおいて、識別情報手段の情報を読み取る情報読取手段と、識別情報手段を所持した者を撮影する撮影装置と、前記情報読取手段の読み取った情報と前記撮影装置の撮影した映像とを関連づけて関連データを作成するデータ作成手段と、前記データ作成手段の作成した前記関連データを記憶する記憶部と、前記関連データを検索するために情報を入力する入力手段と、前記入力手段に入力された情報から前記記憶部に記憶された前記関連データを抽出するデータ抽出手段と、前記データ抽出手段の抽出した情報を表示する表示手段と、を備えたことを特徴とする映像監視システム。
【請求項２】
前記情報読取手段の読取範囲と、前記撮影装置の撮影範囲とはほぼ同一の範囲であることを特徴とする請求項１に記載の映像監視システム。
【請求項３】
前記撮影装置は、前記情報読取手段が読取を開始すると作動することを特徴とする請求項１又は請求項２に記載の映像監視システム。
【請求項４】
前記情報読取手段及び前記撮影装置は、複数備えられたことを特徴とする請求項１乃至請求項３のいずれかに記載の映像監視システム。
【請求項５】
前記関連データは、前記識別情報手段を所持した者の存在したエリアを記憶するエリアデータと、前記識別情報手段を所持した者の存在した時間を記憶した日時データを含むことを特徴とする請求項１乃至請求項４のいずれかに記載の映像監視システム。
【請求項６】
前記映像監視システムは、前記エリアデータを表示するエリア表示からエリアを選択し、前記エリアに対応する前記日時データを表示する時間帯から時間及び前記識別情報手段を所持した者を選択することで、前記データ抽出手段により前記記憶部に記憶された前記関連データを抽出し、前記表示手段により前記データ抽出手段の抽出した情報を表示することを特徴とする請求項５に記載の映像監視システム。
【請求項７】
前記映像監視システムは、前記入力手段により、前記識別情報手段を所持した者に対応する前記日時データを表示する時間帯から時間及びエリアを選択することで、前記データ抽出手段により前記記憶部に記憶された前記関連データを抽出し、前記表示手段により前記データ抽出手段の抽出した情報を表示することを特徴とする請求項５に記載の映像監視システム。
【請求項８】
前記映像監視システムは、前記入力手段により、前記識別情報手段を所持した者を入力し、前記識別情報手段を所持した者に対応する前記エリアデータ及び前記エリアごとの前記日時データを表示するエリア・日時表示からエリア・日時を選択することで、前記データ抽出手段により前記記憶部に記憶された前記関連データを抽出し、前記表示手段により前記データ抽出手段の抽出した情報を表示することを特徴とする請求項５に記載の映像監視システム。
【発明の詳細な説明】
【技術分野】
【０００１】
本発明は、識別情報と監視カメラ情報を組み合わせることにより、来訪者等を映像により検索・抽出をするための映像監視システムに関するものである。
【背景技術】
【０００２】
従来、オフィス等の施設において、セキュリティゾーン等への来訪者の立ち入りを監視する場合、一般に来訪者の立ち入りを禁止する境界部分の天井等に監視カメラを設置し、常時、管理室等で管理者が映像による監視を行っていた。
【０００３】
しかしながら、多数の監視エリアが存在する施設では、管理者が全ての監視画面を見ることは事実上不可能であり、ほとんど録画映像を基にした事後確認となっていた。また、録画した映像のデータ量は膨大となるので、録画を確認する際、目的とする来訪者の映像を探すのに多大な手間と時間がかかるため、対応が遅れていた。また、データを記録するハードディスク等には、何も写っていない無駄な場面も多く記録されており、有効に使用されていなかった。
【０００４】
そこで、監視カメラによる監視映像の変化により移動体を検知したタイミングにより録画を開始・停止させることで、映像を記録するシステムがある。具体的には、監視カメラで撮影された映像が、入力映像としてフレームメモリに供給されて記憶され、参照メモリには、監視カメラでの撮影開始時の映像である比較映像が記憶されており、動きベクトル検出器においては、フレームメモリに新たに記憶された入力映像の、比較映像に対する動きが検出され、さらに、その動きベクトルにしたがって入力映像の動き補償を行って得られる残差が求められる。そして、差分値評価回路において、その残差が所定の閾値と比較され、符号化制御回路では、その比較結果に対応して、入力映像の符号化および記録の開始／停止が制御されるというものである（特許文献１）。
【特許文献１】特開平１０−２８５５４２号公報
【発明の開示】
【発明が解決しようとする課題】
【０００５】
しかしながら、上記特許文献１の発明では、セキュリティゾーン等への立ち入りを許可されているスタッフ等に対してまでも監視カメラが作動してしまい、無駄なデータが多いので、録画を確認する際、やはり目的とする来訪者の映像を探す手間と時間がかかっていた。
【０００６】
本発明は上記課題を解決し、識別情報素子から得られる情報と監視カメラ装置から得られる映像とをデータとして組み合わせて記憶することによって、目的とする識別情報素子が存在した時刻や位置を管理すると共に、監視カメラの映像を簡単に検索・抽出することができる映像監視システムを提供することを目的とする。
【課題を解決するための手段】
【０００７】
本発明は上記課題を解決するものであって、識別情報手段を所持した者を撮影装置により撮影する映像監視システムにおいて、識別情報手段の情報を読み取る情報読取手段と、識別情報手段を所持した者を撮影する撮影装置と、前記情報読取手段の読み取った情報と前記撮影装置の撮影した映像とを関連づけて関連データを作成するデータ作成手段と、前記データ作成手段の作成した前記関連データを記憶する記憶部と、前記関連データを検索するために情報を入力する入力手段と、前記入力手段に入力された情報から前記記憶部に記憶された前記関連データを抽出するデータ抽出手段と、前記データ抽出手段の抽出した情報を表示する表示手段と、を備えたことを特徴とする。
【０００８】
また、前記情報読取手段の読取範囲と、前記撮影装置の撮影範囲とはほぼ同一の範囲であることを特徴とする。
【０００９】
また、前記撮影装置は、前記情報読取手段が読取を開始すると作動することを特徴とする。
【００１０】
また、前記情報読取手段及び前記撮影装置は、複数備えられたことを特徴とする。
【００１１】
また、前記関連データは、前記識別情報手段を所持した者の存在したエリアを記憶するエリアデータと、前記識別情報手段を所持した者の存在した時間を記憶した日時データを含むことを特徴とする。
【００１２】
また、前記映像監視システムは、前記エリアデータを表示するエリア表示からエリアを選択し、前記エリアに対応する前記日時データを表示する時間帯から時間及び前記識別情報手段を所持した者を選択することで、前記データ抽出手段により前記記憶部に記憶された前記関連データを抽出し、前記表示手段により前記データ抽出手段の抽出した情報を表示することを特徴とする。
【００１３】
また、前記映像監視システムは、前記入力手段により、前記識別情報手段を所持した者に対応する前記日時データを表示する時間帯から時間及びエリアを選択することで、前記データ抽出手段により前記記憶部に記憶された前記関連データを抽出し、前記表示手段により前記データ抽出手段の抽出した情報を表示することを特徴とする。
【００１４】
また、前記映像監視システムは、前記入力手段により、前記識別情報手段を所持した者を入力し、前記識別情報手段を所持した者に対応する前記エリアデータ及び前記エリアごとの前記日時データを表示するエリア・日時表示からエリア・日時を選択することで、前記データ抽出手段により前記記憶部に記憶された前記関連データを抽出し、前記表示手段により前記データ抽出手段の抽出した情報を表示することを特徴とする。
【発明の効果】
【００１５】
本発明によれば、管理者等は、識別情報手段を所持した者の監視ゾーン内の移動履歴を瞬時に確認することができる。また、識別情報手段を所持した者の写っている映像のみを保存し、誰も写っていない映像は保存する必要がないため、制御装置や記憶部の負担が少なくなると共に、識別情報手段から得られる情報と撮影装置から得られる映像とをデータとして組み合わせて記憶するので、目的とする識別情報手段を所持する者が存在した場所や時刻を管理する際撮影装置の映像を簡単に検索・抽出することができる。
【発明を実施するための最良の形態】
【００１６】
以下、図面を参照して映像監視システムＶの実施形態を説明する。図１は本発明の１実施形態である映像監視システムＶの概要を示す。図中、１は識別情報手段の一例としてのＩＣタグ、２は識別情報読取手段の一例としてのタグリーダ、３は識別情報読取エリア、４はアンテナ、５は撮影装置の一例としてのビデオカメラ、６は撮影エリア、７は記憶部、８は制御装置の一例としてのサーバ、９はネットワーク、１０は関連データ、１１は日時データ、１２は来訪者名データ、１３はエリアデータ、Ｓは監視ゾーンの一例としてのセキュリティゾーン、Ｖは映像監視システム、Ｘは来訪者、Ｙはスタッフである。
【００１７】
ＩＣタグ１は、監視対象となる来訪者Ｘが受付等で渡され、所持するカード等に内蔵されるＲＦ−ＩＤ等を用いた識別情報が記録されたものである。タグリーダ２は、識別情報読取エリア３内のＩＣタグ１の識別情報を、アンテナ４を介して読み取るものであり、セキュリティゾーンＳ内の天井や壁等に複数個設けられている。ビデオカメラ５は、撮影エリア６内を撮影するものであり、セキュリティゾーンＳ内の天井や壁等に複数個設けられている。そして、識別情報読取エリア３の検知範囲と撮影エリア６の撮影範囲はほぼ同じとする。
【００１８】
記憶部７は、ハードディスク等からなり、タグリーダ２がＩＣタグ１から読み取った来訪者Ｘの識別情報と、ビデオカメラ５の映像等を記憶する。サーバ８は、タグリーダ２がＩＣタグ１から読み取った来訪者Ｘの識別情報、エリア情報、ビデオカメラ５の映像及び時間等を関連付けたり、映像を確認する際に、記憶部７から関連データ１０を読み出したりするものである。関連データ１０としては、日時データ１１、来訪者データ１２、エリアデータ１３、映像データ１４等を記憶しておく。これら記憶部７及びサーバ８は、複数のタグリーダ２及びビデオカメラ５とネットワーク９でつながれている。
【００１９】
図２は、映像監視システムＶのブロック図を示す。サーバ８には、タグリーダ２がＩＣタグ１から読み取った来訪者Ｘの識別ＩＤ情報である来訪者データ１２と、エリア情報であるエリアデータ１３と、ビデオカメラ５の映像である映像データ１４と、日時データ１１等を関連付け、関連データ１０としてデータベース化し記憶部７に記憶させるデータ作成手段８１と、記憶部７に記憶したデータを抽出するデータ抽出手段８２とを有する。入力手段２１は、データ１０を抽出する際、来訪者Ｘの識別ＩＤ情報、エリア情報、時間等を入力する部分であり、表示手段２２は、入力手段２１に入力することでサーバ８が出力した結果を表示する画面等である。
【００２０】
次に、このような映像監視システムＶのデータ記録時の作動について説明する。まず、来訪者Ｘは、施設等の内部に入る際に、受付等でＩＣタグ１を受け取る。その際に、ＩＣタグ１にサーバ８から固有のＩＤが関連付けされる。その後、来訪者Ｘが、施設内のセキュリティゾーンＳに入り、さらに識別情報読取エリア３内に入ると、ＩＣタグ１からの固有のＩＤの信号がタグリーダ２に送信される。タグリーダ２がＩＣタグ１からの固有のＩＤを読み取ると、ビデオカメラ５を作動させ、識別情報読取エリア３とほぼ同じ範囲の撮影エリア６内を撮影する。この時、管理部門等の端末にネットワーク９を介して警報等を送信し、管理者に注意喚起させてもよい。
【００２１】
ビデオカメラ５が撮影した映像データ１４は、記憶部７に記録される。その際、サーバ８内のデータ作成手段８１により、日時データ１１、タグリーダ２がＩＣタグ１から読み取った来訪者Ｘの来訪者データ１２及びエリアデータ１３を関連付けた関連データ１０として記憶される。図１の実施形態は、２００６年２月１０日の１０時４５分２秒に来訪者ＸであるＸ田Ｘ男の所持するＩＣタグがタグリーダＡに読み取られ、ビデオカメラ５で映像を撮影し、記憶部７に記憶された場合を示す。
【００２２】
来訪者Ｘが識別情報読取エリア３から出ると、タグリーダ２がＩＣタグ１からの固有のＩＤを読み取れず、ビデオカメラ５はすぐに又は一定時間後に作動を停止し、映像データ１４等の記録は終了する。その後、来訪者Ｘは施設から出る際に、ＩＣタグ１を返却する。その際に、サーバ８により、ＩＣタグ１と来訪者ＩＤとの関連付けは切り離される。
【００２３】
なお、ＩＣタグを所持していないスタッフＹ等が識別情報読取エリア３内に入っても、タグリーダ２は固有のＩＤを読み取ることができないので、ビデオカメラ５は作動しない。
【００２４】
次に、図３乃至図５に示す関連データ１０を確認する際の概要を説明する。図３は、エリアと時間から映像を表示する第１実施例を示す。管理者等は、入力手段２１に、確認したいエリアと時間を入力する。図３に示す例では、まず、施設内のエリアを示すエリア表示Ｐを表示手段２２に表示する。そして、表示手段２２から確認したいエリアＡ及びエリアＢを選択し、それらエリアＡ及びエリアＢの時間帯Ｔを呼び出す。管理者等は、確認したい時間を時間帯Ｔから選択することで、確認したいエリアと時間を入力することとしている。なお、時間帯Ｔは、来訪者Ｘの映像が存在する部分をエリアごとに色分けする。このように、色分けすることで来訪者の存在したエリアがわかりやすくなる。サーバ８は、入力手段２１からの入力により、来訪者データ１２、エリアデータ１３及び日時データ１１を読み込み、データ抽出手段８２により、対応する映像データ１４を記憶部７から抽出し、映像情報を表示手段２２により表示するようになっている。この第１実施例では、２００６年２月１０日のエリアＡに、１０時４５分２秒〜１０時４６分３５秒の間存在したＸ田Ｘ男の映像を確認することができる。
【００２５】
図４は、来訪者ＸのＩＤと時間帯Ｔから映像を表示する第２実施例を示す。管理者等は、入力手段２１に、確認したい来訪者ＸのＩＤと時間帯Ｔを入力する。図４に示す例では、予め管理者等が来訪者ＸのＩＤと来訪者Ｘの氏名とを関連付けておき、来訪者Ｘの氏名を入力するようにしている。すると、来訪者Ｘに対応する時間帯Ｔを呼び出し、表示手段２２に表示する。そして、管理者等は、来訪者Ｘの来社から帰社するまでの確認したい時間を時間帯Ｔから選択することで、確認したい来訪者Ｘと時間とを入力することとしている。なお、時間帯Ｔは、来訪者Ｘの映像が存在する部分をエリアごとに色分けする。このように、色分けすることで来訪者の存在したエリアがわかりやすくなる。サーバ８は、入力手段２１からの入力により、来訪者データ１２、日時データ１１及びエリアデータ１３を読み込み、データ抽出手段８２により、対応する映像データ１４を記憶部７から抽出し、映像情報を表示手段２２により表示するようになっている。この第２実施例では、２００６年２月１０日の１０時１８分に来社し１１時２０分に帰社したＸ田Ｘ男の１０時３５分２秒〜１０時４９分３５秒に存在したエリアＢでの映像を確認することができる。
【００２６】
図５は、図４の例に加えて移動履歴を表示する第３実施例を示す。この例では、管理者等が、入力手段２１に、来訪者Ｘの氏名又はＩＤ等を入力すると、来訪者Ｘに対応する時間が付与されたエリア・日時表示ＰＴが表示手段２２に表示される。管理者等は、来訪者Ｘの来社から帰社するまでの確認したいエリア・日時をエリア・日時表示ＰＴから選択することで、確認したい来訪者Ｘと時間に対応したエリアを入力することとしている。サーバ８は、入力手段２１からの入力により、来訪者データ１２、日時データ１１及びエリアデータ１３を読み込み、データ抽出手段８２により、対応する映像データ１４を記憶部７から抽出し、映像情報を表示手段２２により表示するようになっている。この第３実施例では、２００６年２月１０日の１０時１８分に来社し１１時２０分に帰社したＸ田Ｘ男の１０時３５分２秒〜１０時４９分３５秒に存在したエリアＢでの映像を確認することができる。
【００２７】
このように、本実施形態によれば、管理者等は、来訪者ＸのセキュリティゾーンＳ内の移動履歴を瞬時に確認することができる。また、来訪者Ｘの写っている映像のみを撮影・保存し、スタッフＹや誰も写っていない映像は撮影・保存する必要がないため、サーバ８や記憶部７の負担が少なくなると共に、ＩＣタグ１から得られる情報とビデオカメラ５から得られる映像とを関連データ１０として組み合わせて記憶するので、目的とするＩＣタグ１を所有する来訪者Ｘが存在した場所や時刻を管理する際、ビデオカメラ５の映像を簡単に検索・抽出することができる。
【００２８】
なお、本実施形態では、特に、監視ゾーンとして施設内のセキュリティゾーンＳで使用する場合に関して述べたが、これに限らず、公園や遊園地等のアミューズメントパークでこのシステムを適用し、迷子対策や記念ビデオ撮影等として使用してもよい。また、都市の繁華街等でこのシステムを安全対策として採用してもよい。その際、識別情報手段として携帯電話等を適用するとよい。
【図面の簡単な説明】
【００２９】
【図１】映像監視システムの１実施形態を示す図
【図２】映像監視システムのブロック図
【図３】映像監視システムの第１実施例を示す図
【図４】映像監視システムの第２実施例を示す図
【図５】映像監視システムの第３実施例を示す図
【符号の説明】
【００３０】
１…ＩＣタグ（識別情報手段）、２…タグリーダ（識別情報読取手段）、３…識別情報読取エリア、４…アンテナ、５…ビデオカメラ（撮影装置）、６…撮影エリア、７…記憶部、８…サーバ（制御装置）、８１…データ作成手段、８２…データ抽出手段、９…ネットワーク、１０…関連データ、１１…日時データ、１２…来訪者データ、１３…エリアデータ、２１…入力手段、２２…表示手段、Ｓ…セキュリティゾーン（監視ゾーン）、Ｖ…映像監視システム、Ｘ…来訪者（識別情報手段を所持した者）、Ｙ…スタッフ
【図１】
2007329622.tif 000003
【図２】
2007329622.tif 000004
【図３】
2007329622.tif 000005
【図４】
2007329622.tif 000006
【図５】
2007329622.tif 000007